(57)【要約】【課題】どんな姿勢でも、他人と接触する可能性のある場所でも、仕事をしながらでも使用することができる、股部換気装置１１〜１５を提供する。そして、股間に発生する蒸れをなくし、股部を乾いた状態に維持することによって、雑菌やカビの繁殖を防ぎ、かぶれや湿疹といった皮膚炎を起こすことを防止する。【解決手段】ポンプ１０、可撓性のチューブ９及び噴出部１〜８を有する股部換気装置１１〜１５であって、ポンプ１０により圧縮した空気を、チューブ９の中を通して送り、噴出部１〜８から大気中に噴出させる。そして、噴出部１〜８を使用者の下穿きの中に取り付け、使用者の股間に直接空気を噴出させて使用する股部換気装置１０〜１５とする。【選択図】図１
2017179629.tif 000002
【特許請求の範囲】
【請求項１】
ポンプ、可撓性のチューブ及び噴出部を有する換気装置であって、前記ポンプにより圧縮した空気を、前記チューブの中を通して送り、前記噴出部から大気中に噴出させる構成とし、
パンツ、パンティ、ふんどし、おむつなど、腰から股部の範囲で肌に直接つけて穿くもの（以下、単に「下穿き」という。）の中に前記噴出部を取り付け、使用者の股間に空気を噴出させて使用することを特徴とする股部換気装置。
【請求項２】
請求項１に記載した股部換気装置であって、前記噴出部は可撓性のチューブをリング状に形成したものとし、前記リング状の中に男性使用者の外性器をさし入れた状態で、前記噴出部を使用者の股間に取り付け、前記リング状の部分に設けた孔から前記外性器又は前記外性器の周辺に向けて、空気を噴出させることを特徴とする股部換気装置。
【請求項３】
請求項１に記載した股部換気装置であって、前記噴出部は可撓性のチューブを略直線状に形成したものとし、略直線状の前記噴出部が女性使用者の外性器に沿うようにして、前記噴出部を使用者の股間に取り付け、前記略直線状の部分に設けた孔から前記外性器に向けて、空気を噴出させることを特徴とする股部換気装置。
【請求項４】
請求項１に記載した股部換気装置であって、前記噴出部が可撓性のチューブを略Ｕ字状又は略楕円状に形成したものとし、前記略Ｕ字状又は前記略楕円状の部分が女性使用者の外性器に沿うようにして、前記噴出部を使用者の股間に取り付け、前記略Ｕ字状又は前記略楕円状の部分に設けた孔から前記外性器に向けて、空気を噴出させることを特徴とする股部換気装置。
【請求項５】
請求項１に記載した股部換気装置であって、前記噴出部がスポンジからなるものとし、前記噴出部が使用者の外性器に沿うようにして、前記噴出部を使用者の股間に取り付け、前記股間に向けて空気を噴出させることを特徴とする股部換気装置。
【請求項６】
請求項１に記載した股部換気装置であって、前記噴出部が凹部を設けたスポンジからなるものとし、前記スポンジの層の中にチューブを挿入し、前記スポンジの層の中に挿入した前記チューブに設けた孔から、前記凹部に向かって空気を噴出させる構成とし、
前記凹部に男性使用者の外性器を収めた状態で、前記外性器に対して前記スポンジの層を被せるようにして、前記噴出部を使用者の股間に取り付け、前記外性器又は前記外性器周辺に向けて、空気を噴出させることを特徴とする股部換気装置。
【請求項７】
請求項１に記載した股部換気装置であって、前記噴出部が可撓性のチューブをリング状に形成したものとし、前記リング状の中に使用者の片足をさし入れ、太股のつけ根付近に取り付けて使用するものとし、前記リング状の部分であって股間に対応する部位に設けた孔から、使用者の股間に向けて空気を噴出させることを特徴とする股部換気装置。
【請求項８】
請求項１に記載した股部換気装置であって、腰ベルトと、前記腰ベルトから略Ｕ字状につり下げた２本の可撓性のチューブとからなる噴出部を有するものとし、２本の前記チューブの略Ｕ字状の中に左右の足を個別に入れ、２本の前記チューブの略Ｕ字状の下部がそれぞれ使用者の股間を通る状態として、前記腰ベルトを使用者の腰に取り付けて使用するものとし、２本の前記略Ｕ字状の部分であって股間に対応する部位にそれぞれ設けた孔から、使用者の股間に向けて空気を噴出させることを特徴とする股部換気装置。
【請求項９】
請求項１〜請求項８のいずれかに記載した股部換気装置であって、前記噴出部を体に取り付け、その上に下穿きを穿いたときに、前記チューブが前記下穿きから外に出た位置に、ワンタッチ継ぎ手を設けたことを特徴とする股部換気装置。
【発明の詳細な説明】
【技術分野】
【０００１】
本発明は、股間が蒸れることによって発生する雑菌やカビの繁殖を防ぎ、かぶれや湿疹などの皮膚炎をなくすことにより、かゆみや匂いの発生を防ぐ効果が得られるようしした、股部換気装置に係るものである。
【背景技術】
【０００２】
長時間、寝た姿勢でいたり、椅子に座って仕事をしていると、股間には熱がこもりやすく、汗をかくこともあって、股間が蒸れてしまう。特に、夏季は汗をかきやすく気温も高いためいため、股間が蒸れることが多い。冬季であっても、パンツ、パンティ、ふんどし、おむつなど、腰から股部の範囲で肌に直接つけて穿くもの（以下、単に「下穿き」という。）の上に、ももひきやスパッツやパンティ・ストッキングなどを穿き、さらにその上にズボンを穿くなど厚着した状態で、暖かい部屋にいると股間が蒸れてしまう。
外から見える生殖器の部分を外性器といい、股部には外性器があって人の目に触れることは避けられている。このため、日光に当てたり外気にさらすことは少なく、自然に股間が乾燥することは少ない。股間が蒸れた状態で長期間経過すると、外性器の周りに雑菌やカビが繁殖しやすくなり、かぶれや湿疹といった皮膚炎を起こし、かゆみや匂いを発生させる原因となる。
【０００３】
従来、発汗により臀部が多湿状態になり不快感を覚えることを解消する発明として、クッション体の心材の中に電動送風機を配し、上面に通気性のある弾性マットを配設した通気クッションの発明があった（例えば、特許文献１参照。）、しかし、この発明は臀部と弾性マットとの接触部における蒸れは防止できたとしても、股間の蒸れには効果が及ばない問題があった。
また、陰茎、睾丸、前立腺を収納する宝箱を設け、ファンで宝箱に風を送ることにより、睾丸を冷やす構成のムレナイ座布団等の発明があった（例えば、特許文献２参照。）。しかし、この発明は、座布団等に座る姿勢で使用する必要があり、横に寝た姿勢や立った姿勢で使用することができなかった。また、下穿きを脱いだ状態で使用する必要があるため、服を着た状態で使用することができず、他人と接触する可能性のある場所や、仕事をしながら使用することができない問題があった。
【先行技術文献】
【特許文献】
【０００４】
【特許文献１】特開平６−２２８２９号公報
【特許文献２】特開２００３−２２５１４０号公報
【発明の概要】
【発明が解決しようとする課題】
【０００５】
本発明の目的は、横に寝た姿勢でも、立った姿勢でも、腰掛けた姿勢でも股部を乾燥することを可能とし、さらに、他人と接触する可能性のある場所でも、仕事をしながらでも使用することができる股部換気装置を提供することにある。そして、股間に発生する蒸れをなくし、股部を乾いた状態に維持することによって、雑菌やカビの繁殖を防ぎ、かぶれや湿疹といった皮膚炎を起こすことを防止することにある。
【課題を解決するための手段】
【０００６】
ポンプ、可撓性のチューブ及び噴出部を有する換気装置であって、ポンプにより圧縮した空気を、チューブの中を通して送り、噴出部から大気中に噴出させる。そして、噴出部を使用者の下穿きの中に取り付け、使用者の股間に空気を噴出させて使用する構成の股部換気装置とする。
【発明の効果】
【０００７】
股間に空気を噴出させ、湿気を追い出すことにより股間に発生する蒸れをなくし、股部を乾いた状態に維持することができた。このため、雑菌やカビの繁殖を防ぎ、かぶれや湿疹といった皮膚炎を起こすことを防止することができた。
また、噴出部を下穿きの中に取り付けることが可能な股部換気装置としたので、横に寝た姿勢でも、立った姿勢でも、腰掛けた姿勢でも使用可能となった。さらに、服を着た状態で使用可能な股部換気装置としたので、他人と接触する可能性のある場所でも、仕事をしながらでも使用することが可能になった。
【図面の簡単な説明】
【０００８】
【図１】リング状の噴出部を有する、股部乾燥装置の構成図である。
【図２】略直線状の噴出部を有する、股部乾燥装置の構成図である。
【図３】略Ｕ字状の噴出部を有する、股部乾燥装置の構成図である。
【図４】略楕円形の噴出部を有する、股部乾燥装置の構成図である。
【図５】スポンジの噴出部を有する、股部乾燥装置の構成図である。
【図６】凹部を有するスポンジからなる噴出部の図である。
【図７】太股に取付可能なリング状の噴出部を人体に取り付けた状態図である。
【図８】腰ベルトと２本の略Ｕ字状のチューブからなる噴出部の斜視図である。
【発明を実施するための形態】
【０００９】
ポンプ、可撓性のチューブ及び噴出部を有する換気装置であって、ポンプにより圧縮した空気を、チューブの中を通して送り、噴出部から大気中に噴出させるものとする。さらに、下穿きの中に噴出部を取り付け、使用者の股間に空気を噴出させて使用する股部換気装置とする。
ポンプには電動ポンプや手動のポンプがあり、圧縮空気を送風できるものであれば、いずれを使用しても構わないが、金魚や熱帯魚などの水槽に空気を送るための水槽用ポンプは、安価で簡単に入手可能であり股部乾燥装置に適している。
可撓性のチューブとしてはポリウレタン、ナイロン、シリコン、ポリオレフィン、フッ素樹脂などのチューブであって、軟質なチューブが適している。あまり大きいと違和感を生じること、及び、赤ん坊から大人まで使用することを考慮すると、チューブの内径は３〜１０ｍｍとし、チューブの外径は４〜１４ｍｍとすることが好ましい。
軟質なチューブは、力を加えることによって容易に変形するため一定の形に定まるものではない。そこで本願では、自然状態において変形していたとしても、力を加えることによって略円形、略直線、略Ｕ字、略楕円にすることが可能な形状について、それぞれリング状、略直線状、略Ｕ字状、略楕円状と表現する。
下穿きの中において、噴出部を使用者の股間に取り付けるのは、外性器やその周辺に向けて直接空気を吹き付けることによって、外性器とその周辺となる股間の湿気を追い出し、股部を乾燥させるためである。
【００１０】
噴出部は可撓性のチューブをリング状に形成したものとし、リング状の中に男性使用者の外性器をさし入れた状態で、噴出部を使用者の股間に取り付けて使用するものとし、リング状の部分に設けた孔から外性器又は外性器の周辺に向けて、空気を噴出させる男性用の股部換気装置とする。
リングの大きさについて、略円形にしたときの大きさで表現すると、赤ん坊用のリングは３０ｍｍの内径でよく、大人用のリングは１００ｍｍの内径が必要な人がいる。従って、使用者のサイズに合わせて、適宜リングの大きさを選択すればよい。
空気を噴出する方向については、外性器又は外性器の周辺を乾燥させることが可能であれば、特に限定するものではない。しかし、外性器の根元付近には湿気が溜まりやすく、外性器の根元付近に向けて噴出することは好ましい。
【００１１】
噴出部が可撓性のチューブを、略直線状に形成したもの又は略Ｕ字状若しくは略楕円状に形成したものとし、略直線状の部分又は略Ｕ字状若しくは略楕円状の部分が女性使用者の外性器に沿うようにして、噴出部を使用者の股間に取り付け、略直線状の部分又は略Ｕ字状若しくは略楕円状の部分に設けた孔から外性器に向けて、空気を噴出させる女性用の股部換気装置とする。
女性の外性器の中央部にある陰核、小陰唇、膣口などは比較的細長い範囲に存在する。そこで、略直線上に形成した噴出部を、外性器の中央部に沿って取り付け、比較的狭い範囲に集中的に空気を吹き付ける構成としたものである。また、外性器の周辺にある恥丘、大陰唇、会陰などの部分は比較的広い範囲に存在する。そこで、略Ｕ字状又は略楕円状に形成した噴出部を、外性器に沿って取り付け、比較的広い範囲に空気を吹き付ける構成としたものである。
赤ん坊から大人の女性まで使用することを考えると、長さ３０〜１００ｍｍ幅５〜６０ｍｍの範囲であって、使用者のサイズに合わせた範囲に空気を吹き付けるよう適宜選択することにより、外性器又は外性器の周辺の湿気を追い出し、股間を乾燥させることが可能である。
【００１２】
噴出部がスポンジからなるものとし、噴出部が使用者の外性器に沿うようにして、噴出部を使用者の股間に取り付け、股間に向けて空気を噴出させる、男女兼用の股部換気装置とする。
スポンジからなる噴出部とすると、噴出部の周囲のあらゆる方向に向かって空気を噴出させるため、股間全体の湿気を追い出して乾燥させることが可能である。
赤ん坊から大人まで使用し、男女両方とも使用することを考えると、噴出部は長さ３０〜１２０ｍｍ、幅２０〜６０ｍｍ、厚さ６〜１０ｍｍの範囲から、適宜使用者に合わせた大きさとすることが好ましい。
【００１３】
噴出部が凹部を設けたスポンジからなるものとし、スポンジの層の中にチューブを挿入し、スポンジの層の中に挿入したチューブに設けた孔から、凹部に向かって空気を噴出させる構成とし、凹部に男性使用者の外性器を収めた状態で、外性器に対してスポンジの層を被せるようにして、噴出部を使用者の股間に取り付け、外性器又は外性器周辺に向けて空気を噴出させる、男性用の股部換気装置とする。
凹部の中に男性の外性器を収めた状態にして、凹部に向かって圧縮空気を噴出させ、凹部の中の空気を乾燥させるものである。スポンジで仕切った空間の中の湿気を追い出すことから、効率よく外性器又は外性器周辺を乾燥させることができる。
赤ん坊から大人まで使用することから、適宜使用者に合わせた大きさの凹部を選定するとすることが好ましい。
【００１４】
噴出部が可撓性のチューブをリング状に形成したものとし、リング状の中に使用者の片足をさし入れ、太股のつけ根付近に取り付けて使用するものとし、リング状の部分であって股間に対応する部位に設けた孔から、使用者の股間に向けて空気を噴出させる、男女兼用の股部換気装置とする。
また、腰ベルトと、腰ベルトから略Ｕ字状につり下げた２本の可撓性のチューブとからなる噴出部を有するものとし、２本のチューブの略Ｕ字状の中に左右の足を個別に入れ、２本のチューブの略Ｕ字状の下部がそれぞれ使用者の股間を通る状態として、腰ベルトを使用者の腰に取り付けて使用するものとし、２本のチューブの略Ｕ字状の部分であって股間に対応する部位にそれぞれ設けた孔から、使用者の股間に向けて空気を噴出させる、男女兼用の股部換気装置とする。
空気を噴出する方向については、股間を乾燥させることが可能であれば、特に限定するものではない。チューブに孔を明ける範囲は、赤ん坊から大人まで使用することを考えると、３０〜１２０ｍｍの範囲であって、適宜使用者のサイズにあった長さの範囲とすることが好ましい。
【００１５】
上記の、いずれかに記載した股部換気装置であって、噴出部を体に取り付け、その上に下穿きをはいたときに、チューブが下穿きから外に出た位置に、ワンタッチ継ぎ手を設けた股部換気装置とする。
ポンプ、可撓性のチューブ及び噴出部の全体がコンパクトであって、使用者が立ち上がって歩くときに邪魔にならなければワンタッチ継ぎ手を設けることなく、常に股部換気装置を携帯すればよい。
しかし、例えば、ベッドに横になっている使用者がトイレに立ったり、椅子に座って仕事をしている使用者が椅子から離れ別の作業をする場合などには、股部換気装置を作動させなくても、短時間の間に股間が蒸れてしまうおそれはない。このような場合に、チューブに設けたワンタッチ継ぎ手の部分で切り離し、ワンタッチ継ぎ手からポンプまでのチューブ及びポンプを外し、下穿きの中に噴出部とワンタッチ継ぎ手から噴出部までのチューブを取り付けた状態で、使用者が移動することが可能になる。
また、噴出部に尿感知センサーを取り付け、おむつの交換時期を自動的に知らせる構成にすることは好ましい。さらに、噴出部に通気性のよい使い捨てのカバーを取り付けると、噴出部に汚れが付着することを防ぐと共に、肌と孔の間に隙間が生じるため、孔が肌によって塞がることがなくなるため好ましい。
【実施例１】
【００１６】
本発明の実施例１を図１に示し説明する。実施例１はリング状の噴出部１を有する、男性用の股部乾燥装置１１の実施例である。ポンプ１０は、金魚や熱帯魚などの水槽に空気を送るための水槽用ポンプであって、１．４Ｗの電動ポンプを使用した。チューブ９は、軟質なシリコン・チューブであって内径４ｍｍ外径６ｍｍのチューブを使用した。そして、チューブ９の先端部分をリング状に形成してこれを噴出部１とした。
リングを略円形にしたときの大きさにおいて、内径Ａを６０ｍｍとした。リング状の噴出部１の内側には多数（実施例１では１２固）の孔１ａを設けた。さらに、チューブ９にはワンタッチ継ぎ手９ａを設けた。
実施例１の股部乾燥装置１１を使用するときは、男性使用者の外性器をリング状の中にさし入れ、外性器の根元付近において、リング状の噴出部１が外性器のまわりを一周するようにして取り付ける。男性の外性器には陰茎と睾丸を内包する陰嚢とがあるが、陰茎も陰嚢も股部の皮膚から突出している。そして、これらの根元近くが湿気を帯びやすく、この部分の湿気を追い出すことにより、股間に発生する蒸れをなくす効果が得られるからである。
【００１７】
実施例１では、リング状の噴出部１を男性使用者の外性器の根元近くに取り付け、その上に下穿きをはいたときに、チューブ９が下穿きから外に出た位置にワンタッチ継ぎ手９ａを設けた。このため、使用者がリング状の噴出部１を股間に取り付けた状態で、ワンタッチ継ぎ手９ａを切り離し、ポンプ１０とワンタッチ継ぎ手９ａからポンプ１０の間のチューブ９を携帯することなく、下穿きの中に噴出部１とワンタッチ継ぎ手９ａから噴出部１までのチューブ９を取り付けたまま、自由に移動することが可能である。
実施例１では、内径４ｍｍのシリコン・チューブを使用したが、チューブの材質や内径について特にこだわるものではない。また、リング状を略円形にしたときの内径Ａについても、使用者の外性器の大きさに合わせて適宜選択することが好ましい。
実施例１では、リング状の噴出部１の内側に多数の孔を明けたが、これは男性の外性器の根本付近に空気を吹き付けて乾燥させるためである。しかし、人によっては外性器から離れた場所に湿疹ができたりかゆみを感じたりする場合がある。従って、内側に限ることなく、外側を含む多様な方向に噴射するように構成することも好ましい。
【実施例２】
【００１８】
本発明の実施例２を図２に示し説明する。実施例２は略直線状の噴出部２を有する、女性用の股部乾燥装置１２の実施例である。実施例２は噴出部２の構成及びワンタッチ継ぎ手を設けていない点で実施例１と異なる。そこで、実施例１と同じ構成の部分については重複した記載を避け、噴出部２の構成について説明する。
実施例２では、チューブ９の先端に蓋２ｂを設け、先端からの長さＢを６０ｍｍとし、長さＢの範囲を噴出部２として多数（実施例２では１０個）の孔２ａを設けた。
実施例２の股部乾燥装置１２を使用するときは、噴出部２を女性使用者の外性器の中央部に沿って取り付け、噴出部２から女性使用者の外性器の中央部付近に向けて空気を吹き出すようにして使用する。女性の外性器の中央部付近は湿気を帯びやすく、この部分の湿気を追い出すことにより、股間に発生する蒸れをなくす効果が得られるからである。
実施例２では長さＢを６０ｍｍとしたが、使用者の外性器の大きさに合わせて、長さＢを３０〜１００ｍｍの範囲で適宜選択することが好ましい。また、実施例２では、噴出部２に直線状に並べて多数の孔を明けたが、これは女性の外性器の中心部付近に空気を吹き付けて乾燥させるためである。しかし、人によっては外性器の中心部から離れた場所に湿疹ができたりかゆみを感じたりする場合がある。従って、多様な方向に噴射するように構成することも好ましい。
実施例２では、ワンタッチ継ぎ手を設けていない、これは噴出部２の股間への着脱が容易だからである。使用者がワンタッチ継ぎ手を希望する場合は、ワンタッチ継ぎ手を取り付けることも好ましい。
【実施例３】
【００１９】
本発明の実施例３を図３に示し説明する。実施例３は略Ｕ字状の噴出部３を有する、女性用の股部乾燥装置１３の実施例である。実施例３は実施例２に対して、噴出部３の構成だけが異なっている。そこで、実施例２と同じ構成の部分については重複した記載を避け、噴出部３の構成について説明する。
噴出部３はチューブ９を二股にして略Ｕ字状に成形したものである。噴出部３には多数（実施例３では１５個）の孔を設けた。そして、噴出部３を女性使用者の外性器に沿って取り付けた状態とし、外性器の中央部だけでなく周辺部も含む広い範囲に向けて、空気を噴出させるようにした。
女性使用者の外性器の中央部及び周辺部を含む広い範囲の大きさに合わせ、幅２０〜６０長さ３０〜１００ｍｍの範囲で、適宜選択した範囲に向かって空気を噴出させることが好ましい。このようにすれば、女性使用者の外性器全体の周りの股間の湿気を追い出して乾燥させることが可能である。
【実施例４】
【００２０】
本発明の実施例４を図４に示し説明する。実施例４は略楕円状の噴出部４を有する、女性用の股部乾燥装置１４の実施例である。実施４は実施例２に対して、噴出部４の構成だけが異なっている。そこで、実施例２と同じ構成の部分については重複した記載を避け、噴出部４の構成について説明する。
噴出部４はチューブ９を略楕円状に成形したものである。そして、噴出部４には多数（実施例４では２０個）の孔を設けた。噴出部４を女性使用者の外性器に沿って取り付けた状態とし、外性器の中央部だけでなく周辺部も含む広い範囲に向けて、空気を噴出させるようにした。
このとき、女性使用者の外性器の中央部及び周辺部を含む広い範囲の大きさに合わせ、幅２０〜６０長さ３０〜１００ｍｍの範囲で、適宜選択した範囲に向かって空気を噴出させることが好ましい。このようにすれば、女性使用者の外性器全体の周りの股間の湿気を追い出して乾燥させることが可能である。
【実施例５】
【００２１】
本発明の実施例５を図５に示し説明する。実施例５はスポンジからなる噴出部５を有する、男女兼用の股部乾燥装置１５の実施例である。実施例３は噴出部５の構成において実施例１と異なる。そこで、実施例１と同じ構成の部分については重複した記載を避け、噴出部５の構成について説明する。
実施例５では、長さＣを７０ｍｍ、幅Ｄを４０ｍｍ、厚さ８ｍｍのスポンジからなる噴出部５とした。実施例３の股部乾燥装置１５を使用するときは、噴出部５を男性又は女性使用者の外性器付近に取り付ける。外性器付近は湿気を帯びやすく、この部分の湿気を追い出すことにより、股間に発生する蒸れをなくす効果が大きく得られるからである。
実施例５のスポンジの噴出部５は、噴出部５の周囲のあらゆる方向に向かって空気を噴出させるため、股間全体の湿気を追い出して乾燥させることが可能である。
実施例５では、長さＣを７０ｍｍ、幅Ｄを４０ｍｍ、厚さ８ｍｍのスポンジを噴出部５としたが、赤ん坊から大人まで使用し、男女両方とも使用するため、噴出部５の長さＣを３０〜１２０ｍｍ、幅Ｄを２０〜６０ｍｍ、厚さを６〜１０ｍｍの範囲とし、適宜使用者に合わせた大きさとすることが好ましい。
【実施例６】
【００２２】
本発明の実施例６を図６に示し説明する。実施例６は凹部６ａを設けたスポンジからなる噴出部６を有する、男性用の股部乾燥装置の実施例である。実施例４は噴出部６の構成において実施例１と異なるだけである。そこで、実施例１と同じ構成の部分については重複した記載を避け、噴出部６の構成について説明する。
実施例４では、凹部６ａを設けたスポンジからなる噴出部６とした。また、スポンジの層６ｂの中にチューブ９を挿入し、スポンジの層６ｂの中に挿入したチューブ９に孔を設け、凹部６ａに向かって空気を噴出させる構成とした。また、赤ん坊から大人まで使用することから、適宜使用者に合わせた大きさの凹部６を設けた。
実施例４の股部乾燥装置を使用するときは、凹部６ａの中に男性の外性器を収め、外性器に対してスポンジの層６ｂを被せるようにして、噴出部を使用者の股間に取り付け、スポンジ６ｂの層の中に挿入したチューブ９に設けた孔から、凹部６ａに向かって空気を噴出させるため、スポンジの層６ｂによって区切った範囲の湿気を、優先的に追い出して乾燥させることが可能である。
【実施例７】
【００２３】
本発明の実施例７を図７に示し説明する。実施例７は、チューブをリング状に形成した噴出部７であって、リング状の中に片足を入れた状態で、太股のつけ根付近に取り付け可能な大きさとした、噴出部７を２本有する男女兼用の股部乾燥装置の実施例である。実施例７は噴出部７の構成において実施例１と異なるだけである。そこで、実施例１と同じ構成の部分については重複した記載を避け、噴出部７の構成について説明する。
実施例７の噴出部７を、使用者が体に取り付けた状態において、股間に対応する部位に孔を明け、股間に向けて空気を噴出させる構成とした。孔を明ける範囲の長さについては、赤ん坊から大人まで使用し、男女両方とも使用するため、３０〜１２０ｍｍの範囲で、適宜使用者に合わた長さとすることが好ましい。
【実施例８】
【００２４】
本発明の実施例８を図８に示し説明する。実施例８は、ゴム製の腰ベルト８ａと、腰ベルト８ａに略Ｕ字状につり下げた２本の可撓性のチューブ９とからなる噴出部８を有する、男女兼用の股部乾燥装置の実施例である。実施例８は噴出部８の構成において実施例７と異なるだけである。そこで、実施例７と同じ構成の部分については重複した記載を避け、噴出部８の構成について説明する。
２本のチューブ９の略Ｕ字状の中に左右の足を個別に入れた状態で、２本のチューブ９の略Ｕ字状の下部が、それぞれ使用者の股間を通る状態として、使用者が腰ベルト８ａを腰に取り付けて使用するものとし、２本の略Ｕ字状の部分であって、股間に対応する部位にそれぞれ孔を明け、股間に向けて空気を噴出させる構成とした。孔を明ける範囲の長さについては、赤ん坊から大人まで使用し、男女両方とも使用するため、３０〜１２０ｍｍの範囲で、適宜使用者に合わた長さとすることが好ましい。
実施例８では、ゴム製の腰ベルト８ａとしたが、これに限定するものではなく、バックルを有する革ベルトや布ベルトでも構わない。
【産業上の利用可能性】
【００２５】
本発明は、股部換気装置を製造販売する産業だけでなく、これを使ってそれぞれ個人的に業務を行う人々や、赤ちゃんの保育、病人の療養、老人の養護等といったあらゆる分野の産業で利用することが可能である。
【符号の説明】
【００２６】
１  ：噴出部                １ａ：孔                  ２  ：噴出部
２ａ：孔                    ２ｂ：蓋                  ３  ：噴出部
４  ：噴出部                ５  ：噴出部              ６  ：噴出部
６ａ：凹部                  ６ｂ：スポンジの層        ７  ：噴出部              ８  ：噴出部                ８ａ：腰ベルト            ９  ：チューブ            ９ａ：ワンタッチ継ぎ手    １０  ：ポンプ            １１  ：股部乾燥装置        １２  ：股部乾燥装置      １３  ：股部乾燥装置      １４  ：股部乾燥装置        １５  ：股部乾燥装置
【図１】
2017179629.tif 000003
【図２】
2017179629.tif 000004
【図３】
2017179629.tif 000005
【図４】
2017179629.tif 000006
【図５】
2017179629.tif 000007
【図６】
2017179629.tif 000008
【図７】
2017179629.tif 000009
【図８】
2017179629.tif 000010